(57)【要約】【課題】部品点数が少ない簡素な構造で、故障が発生し難く、量産性、メンテナンス性に優れ、水を循環させて使用することができ、節水性に優れ、洗剤や酸化促進剤の量を大幅に低減することができ、省資源性、環境保護性に優れ、洗濯時間を短縮することができ、省エネルギー性に優れ、白度、染み落ちが良く、漂白の信頼性に優れるオゾン酸化促進洗濯装置の提供。【解決手段】洗濯槽を有する洗濯機と、一端が洗濯機の排水孔に接続され他端が洗濯機の注水孔に接続された循環路と、循環路の途中に配設されて排水孔から排出される水を洗濯槽に戻入させて循環させる循環ポンプと、循環ポンプに接続されたオゾン発生器と、循環路中又は洗濯槽中の水に酸化促進剤を供給する酸化促進剤投入器と、を備えている。【選択図】図１
0003135171.tif 000002
【実用新案登録請求の範囲】
【請求項１】
洗濯槽を有する洗濯機と、一端が前記洗濯機の排水孔に接続され他端が前記洗濯機の注水孔に接続された循環路と、前記循環路の途中に配設されて前記排水孔から排出される水を前記洗濯槽に戻入させて循環させる循環ポンプと、前記循環ポンプに接続されたオゾン発生器と、前記循環路中又は前記洗濯槽中の水に酸化促進剤を供給する酸化促進剤投入器と、を備えていることを特徴とするオゾン酸化促進洗濯装置。
【請求項２】
前記循環路の途中に配設されたラインミキサを備えていることを特徴とする請求項１に記載のオゾン酸化促進洗濯装置。
【請求項３】
前記循環路の前記排水孔と前記循環ポンプの間に配設され前記排水孔から排出される水の循環又は排水を切り替える三方弁を備えていることを特徴とする請求項１又は２に記載のオゾン酸化促進洗濯装置。
【考案の詳細な説明】
【技術分野】
【０００１】
本考案は、水洗浄方式の洗濯装置に関し、特に、予洗及びすすぎの工程で水中にオゾンや酸化促進剤を投入し、水を循環させながら洗浄を行うオゾン酸化促進洗濯装置に関するものである。
【背景技術】
【０００２】
従来、洗液中または濯ぎ水中にオゾンガスを供給して、オゾンガスの作用で洗濯物の漂白と脱臭・除菌を促進する技術が知られているが、この方法でオゾンガスを供給する場合、洗液中に浮遊するオゾンガスの気泡が洗濯物に直接触れないため、オゾンガスを大量供給しないとオゾンガスの十分な漂白と脱臭・除菌効果が得られず、大容量のオゾンガス発生装置が必要となり、省エネルギー性、省スペース性に欠けるという問題点があった。
この問題点を解決するために、例えば（特許文献１）には、「洗濯物を攪拌しつつ、この洗濯物に、水に洗剤を溶解した洗液から生成された泡を供給して付着させ、前記洗濯物に付着した汚れ成分を前記泡の洗浄作用により解離、溶解させる第１洗浄工程と、この第１洗浄工程で解離、溶解した汚れ成分を、前記洗濯物に対し一方向に濯ぎ水を透過させて押し流して除去する第２洗浄工程との２つの工程を有してなる洗濯方法。」が開示されている。
また、（特許文献２）には、「親油性流体の処理方式において改善された布地洗浄を達成する方法であって：ａ．前記布地を親油性流体にさらす工程；及びｂ．前記布地を漂白剤システムにさらす工程；ｃ．任意で、前記布地を極性成分にさらす工程を特徴とする方法。」が開示されている。
【特許文献１】特開２００４−５３６号公報
【特許文献２】特表２００３−５３５９９５号公報
【考案の開示】
【考案が解決しようとする課題】
【０００３】
しかしながら上記従来の技術は、以下のような課題を有していた。
（１）（特許文献１）は、洗液から生成される泡に、オゾンガスや空気とオゾンガスの混合気体を封じてドラム内に供給する洗濯方法であり、装置の構成が複雑で部品点数が多く、装置が大型化して省スペース性に欠けると共に、量産性、メンテナンス性、取り扱い性に欠けるという課題を有していた。
また、オゾンガスの暴露による健康面での影響や作業環境基準で定められているオゾン濃度規制に抵触する恐れがあり、取り扱い性に欠けるという課題を有していた。
（２）（特許文献２）は、親油性流体を使用するドライクリーニングに関する方法であり、専用の装置や溶剤を使用しなければならず、使用性、メンテナンス性に欠けるという課題を有していた。また、汗などの水溶性の汚れが落ち難く、ボタンなどの付属品が溶けたり、変色したりすることがあり、用途が限定され、汎用性、取り扱い性に欠けるという課題を有していた。さらに、洗濯装置の具体的な構成、構造について記載されていないため、装置の製造、改良が困難であり、そのまま水洗浄方式の洗濯装置に適用することができず、実用性に欠けるという課題を有していた。
【０００４】
本考案は上記従来の課題を解決するもので、部品点数が少ない簡素な構造で、故障が発生し難く、量産性、メンテナンス性に優れ、水を循環させて使用することができ、節水性に優れ、洗剤や酸化促進剤の量を大幅に低減することができ、省資源性、環境保護性に優れ、洗濯時間を短縮することができると共に、従来よりも水の温度を低くしても、十分な洗浄性を確保することができ、省エネルギー性に優れ、白度、染み落ちが良く、漂白の信頼性に優れるオゾン酸化促進洗濯装置の提供を目的とする。
【課題を解決するための手段】
【０００５】
上記従来の課題を解決するために本考案のオゾン酸化促進洗濯装置は、以下の構成を有している。
本考案の請求項１に記載のオゾン酸化促進洗濯装置は、洗濯槽を有する洗濯機と、一端が前記洗濯機の排水孔に接続され他端が前記洗濯機の注水孔に接続された循環路と、前記循環路の途中に配設されて前記排水孔から排出される水を前記洗濯槽に戻入させて循環させる循環ポンプと、前記循環ポンプに接続されたオゾン発生器と、前記循環路中又は前記洗濯槽中の水に酸化促進剤を供給する酸化促進剤投入器と、を備えた構成を有している。
この構成により、以下のような作用が得られる。
（１）一端が洗濯機の排水孔に接続され他端が洗濯機の注水孔に接続された循環路を有し、循環路の途中に排水孔から排出される水を洗濯槽に戻入させて循環させる循環ポンプが配設されているので、排水孔から排出された水を循環ポンプで循環させて繰り返し使用することができ、節水性に優れる。
（２）循環ポンプに接続されたオゾン発生器を有することにより、オゾン発生器で発生したオゾンを密閉された循環ポンプの中で水と共に攪拌することができ、確実かつ効率的に水の中にオゾンを溶解させることができ、少量のオゾンで洗濯物の漂白、脱臭、除菌を行うことができ、衛生的で清潔性に優れる。
（３）循環路中又は洗濯槽中の水に酸化促進剤を供給する酸化促進剤投入器を有することにより、ＯＨラジカルを発生させることができ、強い酸化状態を得ることができるので、漂白、除菌作用を促進することができ、洗浄時間を短縮することができ、洗浄の効率性、信頼性に優れる。
（４）循環路を洗濯機の排水孔に接続するので、改造の手間をかけることなく、既存の洗濯機を利用することができ、省資源性、量産性に優れる。
【０００６】
ここで、洗濯機は、予洗、本洗、すすぎの工程を行うことができるものであればよいが、ドラム式のバッチ洗濯機が好適に用いられる。特に、プログラムや作業者の設定に基づいて、予洗、本洗、すすぎの各工程の回数や時間の設定ができるものは、洗濯物の量や種類、汚れの状態に応じて最適な条件を設定することができ、汎用性、効率性に優れ好ましい。
【０００７】
循環ポンプとしては、渦巻きポンプが好適に用いられる。羽根車の回転により、ポンプ内の内壁に沿って渦を発生させて繰り返し加圧することができ、オゾンを水中に効率的に溶解させることができるためである。
循環路の途中にはストレーナを配設することが好ましい。循環する水の中に含まれる繊維屑などのゴミを取り除くことができるためである。特に、循環ポンプの上流側にストレーナを配置した場合、循環ポンプの中にゴミが侵入することを確実に防止でき、循環ポンプの故障を防ぐことができ、信頼性に優れる。
また、循環路の途中には、適宜、循環路仕切弁を設けることが好ましい。循環ポンプ等に不具合が発生した際に、簡便に循環路を閉塞することができ、メンテナンス作業などを行うことができるためである。尚、ストレーナの前後に循環路仕切弁を配設した場合、循環路を閉塞した状態で容易にストレーナの交換、洗浄を行うことができ、メンテナンス性に優れる。
また、ストレーナの前後にバイパス配管を設けた場合、ストレーナの交換などのメンテナンス作業中でも、経路をバイパス配管に切り替えることによって水を循環、供給することができるので、洗濯を引き続き行うことができ、取り扱い性に優れる。
【０００８】
オゾン発生器は、オゾンを発生させることができるものであればよいが、洗濯槽の容量や工程に応じて、オゾンの発生量或いは供給量を適宜、調整する必要がある。
オゾン供給路の途中にオゾン供給用流量調整弁を設けた場合、オゾン発生器から発生するオゾンの供給量を細かく調整することができ、オゾンが過剰に供給されたり、不足したりすることがなく、オゾン供給の安全性、効率性に優れ、無駄なく効率的にオゾンを使用することができ、省資源性に優れる。
酸化促進剤としては、過酸化水素が好適に用いられる。また、酸化促進剤投入器としては、設定した一定量の酸化促進剤を投入できるものであればよく、定量ポンプなどを用いたものが好適に用いられる。
オゾンと酸化促進剤を入れた水で予洗とすすぎの工程を行うことにより、洗浄の効率が良くなり、洗剤の量を減少させることができるので環境保護性に優れる。
オゾン及び酸化促進剤の濃度や配合割合などは、洗濯物の量や汚れの種類、程度によって適宜、選択することができる。
【０００９】
水の温度が高くなると、タンパク質が固化し、汚れが落ち難くなるので、予洗の工程では常温の水を使用することが好ましい。
本洗の工程に用いる水は、５０℃〜８０℃に加熱することが好ましい。本洗の工程に用いる水の温度が５０℃よりも低くなるにつれ、汚れが落ち難くなり、洗剤の量が増加したり、洗濯時間が長くなったりする傾向があり、８０℃よりも高くなるにつれ、加熱に時間がかかり、加熱に必要なエネルギーが増大すると共に、洗濯物を傷め易くなる傾向があり、いずれも好ましくない。
水を加熱する手段としては、洗濯槽の水の中にボイラーから蒸気を供給するものが好適に用いられる。
【００１０】
請求項２に記載の考案は、請求項１に記載のオゾン酸化促進洗濯装置であって、前記循環路の途中に配設されたラインミキサを備えた構成を有している。
この構成により、請求項１で得られる作用に加え、以下のような作用が得られる。
（１）循環路の途中に配設されたラインミキサを有することにより、水とオゾンや酸化促進剤を効率的に攪拌、混合することができ、漂白、洗浄作用を促進することができる。
（２）ラインミキサは動力が不要で省エネルギー性に優れると共に、コンパクトで循環路への取り付けが容易でメンテナンス性、組み立て作業性に優れる。
【００１１】
ここで、ラインミキサは、循環路の途中の任意の位置に取り付けることができるが、オゾン発生器からオゾンが供給される循環ポンプの下流側や酸化促進剤投入器から酸化促進剤が供給される位置の下流側に配設することが好ましい。オゾンや酸化促進剤が供給された直後に、無駄なく確実に水とオゾンや酸化促進剤を攪拌、混合でき、効率性に優れるためである。
【００１２】
請求項３に記載の考案は、請求項１又は２に記載のオゾン酸化促進洗濯装置であって、前記循環路の前記排水孔と前記循環ポンプの間に配設され前記排水孔から排出される水の循環又は排水を切り替える三方弁を備えた構成を有している。
この構成により、請求項１又は２で得られる作用に加え、以下のような作用が得られる。
（１）循環路の排水孔と循環ポンプの間に配設され排水孔から排出される水の循環又は排水を切り替える三方弁を有することにより、適宜、水の循環と排水を切り替えることができ、新たな水を供給する前に確実に排水して水を入れ替えることができ、取り扱い性に優れる。
【００１３】
ここで、三方弁は、プログラムや作業者の設定に基づいて、予洗、本洗、すすぎの各工程に応じて、水の循環又は排水を切り替えることができる。尚、洗濯に用いる水は、水道水でも地下水でもよい。
【考案の効果】
【００１４】
以上のように、本考案のオゾン酸化促進洗濯装置によれば、以下のような有利な効果が得られる。
請求項１に記載の考案によれば、以下のような有利な効果が得られる。
（１）循環ポンプにオゾン発生器が接続されていることにより、オゾン発生器で発生したオゾンを密閉された循環ポンプの中で水と共に攪拌することができ、確実かつ効率的に水の中にオゾンを溶解させることができ、少量のオゾンで洗濯物の漂白、脱臭、除菌を行うことができる洗浄の効率性、信頼性に優れたオゾン酸化促進洗濯装置を提供することができる。
（２）酸化促進剤投入器から循環路中又は洗濯槽中の水に酸化促進剤を供給することにより、ＯＨラジカルを発生させることができ、強い酸化状態を得ることができるので、漂白、除菌作用を促進することができ、洗浄時間を短縮することができる洗浄、漂白の効率性、信頼性に優れたオゾン酸化促進洗濯装置を提供することができる。
【００１５】
請求項２に記載の考案によれば、請求項１に記載の効果に加えて以下のような有利な効果が得られる。
（１）循環路の途中にラインミキサが配設されていることにより、水とオゾンや酸化促進剤を効率的に攪拌、混合することができ、漂白、洗浄作用を促進することができる洗浄の効率性、信頼性に優れたオゾン酸化促進洗濯装置を提供することができる。
【００１６】
請求項３に記載の考案によれば、請求項１又は２に記載の効果に加えて以下のような有利な効果が得られる。
（１）循環路の排水孔と循環ポンプの間に排水孔から排出される水の循環又は排水を切り替える三方弁が配設されていることにより、各工程に応じて、適宜、水の循環と排水を切り替えることができ、新たな水を供給する前に確実に排水して水を入れ替えることができる取り扱い性に優れたオゾン酸化促進洗濯装置を提供することができる。
【考案を実施するための最良の形態】
【００１７】
以下、本考案の実施の形態におけるオゾン酸化促進洗濯装置について、図面を参照しながら説明する。
（実施の形態１）
図１は実施の形態１におけるオゾン酸化促進洗濯装置の構成を示す模式図である。
図１中、１は実施の形態１におけるオゾン酸化促進洗濯装置、２は予洗、本洗、すすぎの工程を行うことができる洗濯槽を備えたドラム式の洗濯機、３は一端が洗濯機２の排水孔２ａに接続され他端が洗濯機２の注水孔２ｂに接続された循環路、３ａは循環路３の途中に配設されたバイパス配管、３ｂは循環路３を流れる水がバイパス配管３ａを経由するように経路の切り替えを行うためにバイパス配管３ａに配設された切替弁、４は循環路３の途中に配設されて排水孔２ａから排出される水を洗濯機２の洗濯槽に戻入させて循環させる循環ポンプ、５は循環路３の排水孔２ａと循環ポンプ４の間に配設され排水孔２ａから排出される水の循環又は排水を切り替える三方弁、６は循環路３の循環ポンプ４より上流側に配設され循環する水の中に含まれる繊維屑などのゴミを取り除くためのストレーナ、７ａ，７ｂはストレーナ６の前後に配設された循環路仕切弁、８はオゾン供給路９によって循環ポンプ４に接続され循環ポンプ４の中の水にオゾンを供給するオゾン発生器、１２はオゾン供給路９のオゾン逃がし弁１０より下流側に配設されオゾン発生器８から発生するオゾンの供給量を調整するオゾン供給用流量調整弁、１３は循環路３の循環ポンプ４より下流側に配設されオゾンが溶解した水を所定量だけ洗濯機２の洗濯槽に供給するオゾン水流量調整弁、１４は循環路３のオゾン水流量調整弁１３より下流側で循環路３に接続された酸化促進剤供給路１５に連通して過酸化水素などの酸化促進剤の投入を行う酸化促進剤投入器、１４ａは酸化促進剤供給路１５の途中に配設され酸化促進剤の供給量を調整する定量ポンプ、１５ａは酸化促進剤供給路１５の定量ポンプ１４ａより下流側に配設され循環路３又は酸化促進剤供給分岐管１５ｂを通して洗濯機２の洗濯槽中の水（オゾン水）に酸化促進剤を供給する供給路切り替え用三方弁、１５ｂは供給路切り替え用三方弁１５ａと洗濯機２の洗濯槽を接続し定量ポンプ１４ａから供給される酸化促進剤を洗濯機２の洗濯槽へ直接供給するための酸化促進剤供給分岐管、１６は循環路３の酸化促進剤投入器１４から酸化促進剤が供給される位置より下流側に配設されたラインミキサである。
【００１８】
洗濯機２は、プログラムや作業者の設定に基づいて、予洗、本洗、すすぎの各工程の回数や時間の設定ができるものを使用した。洗濯物の量や種類、汚れの状態に応じて最適な条件を設定することができ、汎用性、効率性に優れるためである。
循環ポンプ４としては、渦巻きポンプを用いた。羽根車の回転により、ポンプ内の内壁に沿って渦を発生させて繰り返し加圧することができ、オゾンを水中に効率的に溶解させることができるためである。
循環ポンプ４の上流側にストレーナ６を配置した。これにより、水の中に含まれる繊維屑などのゴミが、循環ポンプ４の中に侵入することを確実に防止でき、循環ポンプ４の故障を防ぐことができ、信頼性に優れる。尚、ストレーナ６は、循環する水の中に含まれるゴミを取り除くことができればよいので、その取付位置は本実施の形態に限定されるものではなく、循環路３の途中の任意の位置に配設することができる。
【００１９】
ストレーナ６の前後に循環路仕切弁７ａ，７ｂを配設した。これにより、循環路３を閉塞した状態で容易にストレーナ６の交換、洗浄を行うことができ、メンテナンス性に優れる。また、循環ポンプ４等に不具合が発生した際に、簡便に循環路３を閉塞することができ、メンテナンス作業などを行うことができる。尚、循環路仕切弁は循環路３の途中に、適宜、設けることができる。
また、ストレーナ６の前後を接続するようにバイパス配管３ａを設け、その間に切替弁３ｂを配設した。これにより、ストレーナ６の交換などのメンテナンス作業中でも、循環路仕切弁７ａ，７ｂを閉じて切替弁３ｂを開くことによって、バイパス配管３ａを経由する経路に切り替えることができ、水を循環、供給することができるので、洗濯を引き続き行うことができ、取り扱い性に優れる。
オゾン供給路９の途中にオゾン供給用流量調整弁１２を設けたことにより、オゾン発生器８から発生するオゾンの供給量を細かく調整することができ、無駄なく効率的にオゾンを使用することができ、省資源性に優れる。
【００２０】
循環路３の循環ポンプ４より下流側にオゾン水流量調整弁１３が配設されているので、オゾンが溶解した水を所定量だけ洗濯機２の洗濯槽に供給することができる。また、定量ポンプ１４ａにより酸化促進剤を供給する酸化促進剤投入器１４が循環路３のオゾン水流量調整弁１３より下流側で循環路３に接続されているので、循環路３中の水に溶解したオゾンに対して一定の割合で過酸化水素などの酸化促進剤を供給することができ、無駄なく効率的に酸化を促進することができる。
また、酸化促進剤投入器１４と循環路３を接続する酸化促進剤供給路１５の途中に供給路切り替え用三方弁１５ａを配設し、供給路切り替え用三方弁１５ａと洗濯機２の洗濯槽を直接接続する酸化促進剤供給分岐管１５ｂを設けた。これにより、供給路切り替え用三方弁１５ａで、酸化促進剤投入器１４から投入される酸化促進剤の供給路を簡便に選択して切り替えることができる。つまり、供給路切り替え用三方弁１５ａによって酸化促進剤供給路１５と循環路３を連通させれば、循環路３を通って循環する水（オゾン水）の中に酸化促進剤を供給することができ、酸化促進剤供給路１５と酸化促進剤供給分岐管１５ｂを連通させれば、循環を停止している状態でも洗濯機２の洗濯槽の中の水に直接、酸化促進剤を供給することができる。
ラインミキサ１６は、オゾン発生器８からオゾンが供給される循環ポンプ４及び酸化促進剤投入器１４から酸化促進剤が供給される位置よりも下流側に配設した。これにより、オゾンや酸化促進剤が供給された直後に、無駄なく確実に水とオゾンや酸化促進剤を攪拌、混合でき、効率性に優れる。
【００２１】
以上のように構成された実施の形態１におけるオゾン酸化促進洗濯装置の使用方法について説明する。
図１において、まず、洗濯機２の洗濯槽に水を貯める。
次に、循環ポンプ４で洗濯機２と循環路３の間で常温の水を循環させながら、オゾン発生器８で発生したオゾンを循環ポンプ４に供給し、循環路３内の水にオゾンを溶解させて、オゾン水を作る。続いて、洗濯槽に洗濯物を入れ、オゾン発生器８から循環路３を通過する水の中にオゾンを供給しながら、所定の時間、オゾン水の循環を行う（予洗工程）。
予洗工程が終了したら、オゾンの供給及びオゾン水の循環を停止し、洗濯槽に洗剤を投入して、洗濯槽内の水の加熱を行う。水の加熱は、洗濯槽の水の中にボイラーから蒸気を供給することによって行う。洗濯槽内の水が所定の温度になったら、酸化促進剤を供給する。このとき、水の循環が停止しているので、供給路切り替え用三方弁１５ａによって酸化促進剤供給路１５と酸化促進剤供給分岐管１５ｂを連通させ、洗濯機２の洗濯槽の中の水に直接、酸化促進剤を供給する（本洗工程）。
本洗工程が終了したら、三方弁５を切り替えて洗濯槽内の水を排水し、洗濯槽に新たな水を注入し、すすぎを開始する。循環ポンプ４で洗濯機２と循環路３の間で水を循環させながら、オゾン発生器８で発生したオゾンを循環ポンプ４に供給すると共に、定量ポンプ１４ａにより酸化促進剤投入器１４から循環路３中の水（オゾン水）に酸化促進剤を供給し、所定の時間が経過したら洗濯槽内の水を排水する（すすぎ工程）。
必要に応じて、すすぎ工程を数回繰り返し、全ての工程が終了する。
【００２２】
以上のように実施の形態１におけるオゾン酸化促進洗濯装置は構成されているので、以下のような作用が得られる。
（１）一端が洗濯機２の排水孔２ａに接続され他端が洗濯機２の注水孔２ｂに接続された循環路３を有し、循環路３の途中に排水孔２ａから排出される水を洗濯槽に戻入させて循環させる循環ポンプ４が配設されているので、排水孔２ａから排出された水を循環ポンプ４で循環させて繰り返し使用することができ、節水性に優れる。
（２）循環ポンプ４に接続されたオゾン発生器８を有することにより、オゾン発生器８で発生したオゾンを密閉された循環ポンプ４の中で水と共に攪拌することができ、確実かつ効率的に水の中にオゾンを溶解させることができ、少量のオゾンで洗濯物の漂白、脱臭、除菌を行うことができ、衛生的で清潔性に優れる。
（３）循環路３中又は洗濯槽中の水に酸化促進剤を供給する酸化促進剤投入器１４を有することにより、ＯＨラジカルを発生させることができ、強い酸化状態を得ることができるので、漂白、洗浄作用を促進することができ、洗浄時間を短縮することができ、洗浄の効率性、信頼性に優れる。
（４）循環路３を洗濯機２の排水孔２ａに接続するので、改造の手間をかけることなく、既存の洗濯機２を利用することができ、省資源性、量産性に優れる。
（５）循環路３の途中に配設されたラインミキサ１６を有することにより、水とオゾンや酸化促進剤を効率的に攪拌、混合することができ、漂白、洗浄作用を促進することができる。
（６）ラインミキサ１６は動力が不要で省エネルギー性に優れると共に、コンパクトで循環路への取り付けが容易でメンテナンス性、組み立て作業性に優れる。
（７）循環ポンプ４とオゾン発生器８を接続するオゾン供給路９の途中に配設された流量調整弁１２を有することにより、オゾン発生器８から発生するオゾンの供給量を細かく調整することができ、オゾンが過剰に供給されたり、不足したりすることがなく、オゾン供給の安全性、効率性に優れ、無駄なく効率的にオゾンを使用することができ、省資源性に優れる。
（８）循環路３の排水孔２ａと循環ポンプ４の間に配設され排水孔２ａから排出される水の循環又は排水を切り替える三方弁５を有することにより、適宜、水の循環と排水を切り替えることができ、新たな水を供給する前に確実に排水して水を入れ替えることができ、取り扱い性に優れる。
【実施例】
【００２３】
以下、本発明を実施例により具体的に説明する。
実施の形態１で説明したオゾン酸化促進洗濯装置１及び従来の洗濯機について、汚染布を用いて白度及び染み落ちの評価を比較した。
８種類の汚れについて白度及び染み落ちの程度を目視で確認し、１点〜５点の５段階で判定した。判定は洗浄していない汚染布との比較によって行い、最も結果が悪かったものを１点とし、最も結果が良かったものを５点とした。
評価結果を（表１）に示す。
【表１】
0003135171.tif 000003
【００２４】
（比較例１）
従来の水洗浄方式の洗濯機を用いて、市販のアルカリ性洗剤のみで汚染布を洗濯し、各種の汚れに対する白度及び染み落ちの程度を目視で評価した。
合計点は４０点満点中、１６点であった。特に最高点は３点が１種類あるのみで、４点以上のものはなかった。
【００２５】
（実施例１）
実施の形態１で説明したオゾン酸化促進洗濯装置１を用いて、汚染布を洗濯し、各種の汚れに対する白度及び染み落ちの程度を目視で評価した。尚、洗剤は（比較例１）と同じものを使用した。
合計点は４０点満点中、３７点であった。８種類中、５種類が５点満点、３種類が４点となり、優れた漂白効果を有することが確認された。特に、（比較例１）では１点であったワインについても、５点満点となり、顕著な効果が認められた。
尚、（実施例１）によれば、（比較例１）と比べて、洗濯時間は５０％〜６０％程度に大幅に短縮された。また、使用水量も７０％〜８０％程度まで低減することができた。
以上の結果から、実施の形態１のオゾン酸化促進洗濯装置１は、省資源性、省エネルギー性の面からも優れるということが確認された。
【産業上の利用可能性】
【００２６】
本考案は、部品点数が少ない簡素な構造で、故障が発生し難く、量産性、メンテナンス性に優れ、水を循環させて使用することができ、節水性に優れ、洗剤や酸化促進剤の量を大幅に低減することができ、省資源性、環境保護性に優れ、洗濯時間を短縮することができ、省エネルギー性に優れ、白度、染み落ちが良く、漂白の信頼性に優れるオゾン酸化促進洗濯装置の提供を行うことができ、水資源の節約、環境保護に貢献することができる。
【図面の簡単な説明】
【００２７】
【図１】実施の形態１におけるオゾン酸化促進洗濯装置の構成を示す模式図
【符号の説明】
【００２８】
１  オゾン酸化促進洗濯装置
２  洗濯機
２ａ  排水孔
２ｂ  注水孔
３  循環路
３ａ  バイパス配管
３ｂ  切替弁
４  循環ポンプ
５  三方弁
６  ストレーナ
７ａ，７ｂ  循環路仕切弁
８  オゾン発生器
９  オゾン供給路
１２  オゾン供給用流量調整弁
１３  オゾン水流量調整弁
１４  酸化促進剤投入器
１４ａ  定量ポンプ
１５ａ  供給路切り替え用三方弁
１５ｂ  酸化促進剤供給分岐管
１６  ラインミキサ
【図１】
0003135171.tif 000004